(57)【要約】      （修正有）【課題】ハードディスクブラケットの固定構造を提供する。【解決手段】ハードディスクブラケットの固定構造はハードディスクブラケット１、ワッシャー２、ブッシュ３、六角ナット４、及びボルト５より構成され、該ハードディスクブラケット１は固定孔１１を設け、該ワッシャー２は固定孔１１と相応する通孔２１を設け、該ブッシュ３は、本体中央に凸部３１と通孔３２を設け、凸部３１はハードディスクブラケット１の固定孔１１とワッシャー２の通孔２１に順に挿入され、該六角ナット４は通孔４１を設け、該ボルト５はブッシュ３の通孔３２に通し六角ナット４の通孔４１に螺合され、ボルト５を六角ナット４の通孔４１内に堅く螺合させることにより、ブッシュ３の変形は生じることなく、確実に固定する目的を達成し、更に電力接地と信号接地の効果を備えてなる。【選択図】図２
0003120034.tif 000002
【実用新案登録請求の範囲】
【請求項１】
工業用コンピュータ内に用いられてなり、ハードディスクブラケット、ワッシャー、ブッシュ、六角ナット、及びボルトより構成され、
該ハードディスクブラケットは固定孔を設けてなり、
該ワッシャーはハードディスクブラケットの固定孔の上方に設置されてなると共に、固定孔と相応する通孔を設けてなり、
該ブッシュはハードディスクブラケットの固定孔の下方に設置されてなると共に、ブッシュ本体中央に凸部と通孔を設けてなり、凸部はハードディスクブラケットの通孔とワッシャーの通孔に順に挿入されてなり、
該六角ナットはブッシュの下方に設置されてなると共に、通孔を設けてなり、
該ボルトはワッシャーの上方に設置されてなると共に、ブッシュの通孔に通し六角ナットの通孔に螺合されてなることを特徴とするハードディスクブラケットの固定構造。
【請求項２】
前記ボルトはＰ頭ボルトにてなることを特徴とする請求項１に記載のハードディスクブラケットの固定構造。
【請求項３】
前記ワッシャーとブッシュは絶縁材質にて形成されてなることを特徴とする請求項１に記載のハードディスクブラケットの固定構造。
【考案の詳細な説明】
【技術分野】
【０００１】
本考案は、工業用コンピュータのハードディスクブラケットの固定構造において、簡単な構造であると共に重複して使用ができ、電力用接地（ｃｌａｓｓｉｓ  ｇｒｏｕｎｄ）と信号用接地（ｄｉｇｉｔａｌ  ｇｒｏｕｎｄ）を効果的に分別することができるハードディスクブラケットの固定構造に関する。
【背景技術】
【０００２】
現在多くの企業部署における数十台或いは数百台の低コストな小型サーバー機が既にネットワーク環境の需要に対処し、更に経済効果を向上させる為、ブレードサーバーへ発展し始めている。「ブレードサーバー」とは、ＣＰＵ、メモリー、更にはハードディスク等のサーバー機システムのハードウェアを単一の基盤上に統合してなり、「ブレード」或いは「ブレードサーバーモジュール」と呼称される。
【０００３】
ブレードサーバーシャーシ内は数十モジュール或いは更に多くのブレードサーバーモジュールを収納することができると共に、一つのモジュールは一台のサーバー機に相当し、サーバー機のシャーシ、モニター、キーボード、電源ユニット等の資源を共用し、大容量のデータ処理を統合する目的を達成する。サーバー機シャーシ内には内部ユニットの情報に関する知能システムを設けてなり、該知能システムはブレードサーバーモジュールユニットのネットワーク化、特定な処理、或いはブレードサーバーモジュール上において実行するアプリケーションの分割をすることができ、シャーシ内のブレードサーバーモジュールユニットの使用に柔軟性を持たせ、ブレードサーバーの最も注目すべき所は、高度な信頼性と拡張性であり、各ブレードサーバーモジュールはリカバリ機能を備えてなり、シャーシはブレードサーバーモジュールとシステムユニットのホットプラグを支援し、極めて高い可用性を提供し、一つのモジュールが動作不能になった場合に業務を停止する必要なく、他のモジュールに切り替わり、処理能力の向上を望む場合は、より多くのブレードサーバーモジュールを挿入しこれらのユニットを需要に合わせて配置するだけで目的を達成することが可能である。
【０００４】
次世代通信設備の需要、及び大容量高速データ通信市場の需要を満たす為、ブレードサーバーはＣｏｍｐａｃｔＰＣＩ規格のモジュール化設計を踏襲し、その構造設計はシャーシ、メインボード、バックボード、拡張ボードに対するボードタイプ、外観、サイズ、高さを制限し、使用コネクタ、フロントボード、ホットプラグ把手等の各モジュールに全く新しい標準を設けてなり、フロントボードの８Ｕの空間は最大４枚のＰＭＣを収納でき、同時に４個の標準的ＬＥＤ表示機能を備え、ラック搭載用の把手設計にてなり、メインボードのホットプラグ機能を支援を可能とし、更にブレードサーバーはハードディスクの信号接地を標準とし、ハードディスクの高さ、温度が制限を受ける為、ハードディスクの位置と固定方式が非常に重要であり、図４、５に示すように、ハードディスクブラケット（ｂｒａｃｋｅｔ）Ａ１は錐形ボルトＡ２を利用し固定孔Ａ１１へ通し、更にブッシュＡ３の通孔Ａ３１へ通し、六角ナットＡ４で固定し、ブッシュＡ３上方のプラスチック部分が変形し錘形ボルトＡ２と密着接合することにより螺合の効果を達成するが、ブッシュＡ３が断裂し易い為、六角ナットＡ４を確実に固定できず、更に使用者が錘形ボルトＡ２を外し再度固定する時、力強く固定した場合に、ブッシュＡ３上方のプラスチック部分が容易に破裂し、又力が足りなければ、ブッシュＡ３上方の六角ナットＡ４が空回りする現象が発生してしまうのである。
【特許文献１】特開２００３−９１９８５号公報
【考案の開示】
【考案が解決しようとする課題】
【０００５】
上述の公知技術の問題を解決する為、本考案は、構造が簡単であるだけでなく、製造コストが低く組み立てに便利であるという長所を備え、更に電力用接地（ｃｌａｓｓｉｓ  ｇｒｏｕｎｄ）と信号用接地（ｄｉｇｉｔａｌ  ｇｒｏｕｎｄ）を分離して設けることを可能とするハードディスクブラケットの固定構造を提供することを目的とする。
【課題を解決するための手段】
【０００６】
上記課題を解決するために、本考案は、下記の特徴を有するハードディスクブラケットの固定構造を提供する。
１．請求項１に記載のハードディスクブラケットの固定構造は、工業用コンピュータ内に用いられてなり、ハードディスクブラケット、ワッシャー、ブッシュ、六角ナット、及びボルトより構成され、該ハードディスクブラケットは固定孔を設けてなり、該ワッシャーはハードディスクブラケットの固定孔の上方に設置されてなると共に、固定孔と相応する通孔を設けてなり、該ブッシュはハードディスクブラケットの固定孔の下方に設置されてなると共に、ブッシュ本体中央に凸部と通孔を設けてなり、凸部はハードディスクブラケットの通孔とワッシャーの通孔に順に挿入されてなり、該六角ナットはブッシュの下方に設置されてなると共に、通孔を設けてなり、該ボルトはワッシャーの上方に設置されてなると共に、ブッシュの通孔に通し六角ナットの通孔に螺合されてなることを特徴とする。
２．請求項２に記載のハードディスクブラケットの固定構造は、請求項１の場合において、前記ボルトはＰ頭ボルトにてなることを特徴とする。
３．請求項３に記載のハードディスクブラケットの固定構造は、請求項１の場合において、前記ワッシャーとブッシュは絶縁材質にて形成されてなることを特徴とする。
【考案の効果】
【０００７】
上記のように、本考案のハードディスクブラケットの固定構造は簡易な構造であるという特性を備え、製造コストを低減し組み立てを便利にし、さらに電力接地（ｃｌａｓｓｉｓ  ｇｒｏｕｎｄ）と信号接地（ｄｉｇｉｔａｌ  ｇｒｏｕｎｄ）の機能を同時に備える。
【考案を実施するための最良の形態】
【０００８】
上述の目的及び効果を達成する為、本考案の目的、構造技術の特徴、及び効果を図に従い詳細に説明する。
図１〜３に示すように、本考案のハードディスクブラケットの固定構造は、ハードディスクブラケット１、ワッシャー２、ブッシュ３、六角ナット４、及びボルト５より構成され、該ハードディスクブラケット１は固定孔１１を設けてなり、該ワッシャー２は絶縁材質により形成されてなると共に、ハードディスクブラケット１の固定孔１１と相応する通孔２１を設けてなり、該ブッシュ３は絶縁材質にて形成されてなると共に、ブッシュ３本体中央に凸部３１と通孔３２を設けてなり、凸部３１はワッシャー２の通孔２１に挿入されてなり、該六角ナット４は適当な位置にブッシュ３の通孔３２と相応する通孔４１を設けてなり、該ボルト５はＰ頭ボルトにてなると共にブッシュ３の通孔３２と六角ナット４の通孔４１へ挿入することができる。
【０００９】
継続し図１，２に示すように、本考案のハードディスクブラケット固定構造は組み立て時、先ずハードディスクブラケット１の固定孔１１の上方にワッシャー２を置き、ブッシュ３をハードディスクブラケット１の固定孔１１の下方に挿入し、ブッシュ３の凸部３１をハードディスクブラケット１の固定孔１１とワッシャー２の通孔２１に順に通し、ブッシュ３の下方には六角ナット４を配置し、ボルト５をワッシャー２の上方より挿入し、ワッシャー２の通孔３２を通し、六角ナット４の通孔４１内に螺合させ、ボルト５と六角ナット４が密接に係合された時、ワッシャー３は変形或いは破裂することなく、ボルト５は確実に六角ナット４との固定を達成し、未使用時或いはハードディスクを交換する時、ボルト５を六角ナット４から外すことができ、本考案のハードディスクブラケットの固定構造は、頑丈且つ重複利用の効果を達成すると同時に簡易な構造であるという特性を備えてなり、製造コストを低減し組み立てに便利であるという目的を達成する。
【００１０】
更に、ワッシャー２とブッシュ３は絶縁材質にて形成されてなり、ハードディスクブラケット１と六角ナット４の両者の直接接触を防止し、ハードディスクブラケット１と六角ナット４を隔離することにより、本考案のハードディスクブラケットの固定構造は電力接地（ｃｌａｓｓｉｓ  ｇｒｏｕｎｄ）と信号接地（ｄｉｇｉｔａｌ  ｇｒｏｕｎｄ）の機能を同時に備えることができる。 
【００１１】
上述により、本考案のハードディスクブラケット１の固定構造は、公知技術の問題点を以下のように改善する。
１．ボルト５を利用しワッシャー２の上方に挿入し、ボルト５をブッシュ３の通孔３２に通し、ボルト５を六角ナット４の通孔４１内に螺合し、ボルト５を確実に六角ナット４に固定することができ、未使用時或いはハードディスクを交換する時、ボルト５は六角ナット４から取り外しができ、頑丈且つ重複利用の効果を達成することができる。
２．ブッシュ３の凸部３１をハードディスクブラケット１の固定孔１１とワッシャー２の通孔２１に通し、ブッシュ３の下方に六角ナット４を配置し、ボルト５をワッシャー２の上方より挿入し、ボルト５をブッシュ３の通孔３２に通し六角ナット４の通孔４１内に螺合し、ボルト５と六角ナットとが密接に係合する時に、ブッシュ３が変形或いは破裂を生じない。
３．ボルト５を利用してワッシャー２の上方に挿入し、ボルト５をブッシュ３の通孔３２に通し、六角ナット４の通孔内に螺合させることにより、本考案のハードディスクブラケットの固定構造が簡易な構造であるという特性を備え、製造コストを低減し組み立てを便利にする目的を達成することができる。
４．ワッシャー２とブッシュ３を利用しハードディスクブラケット１と六角ナット４とを隔離することにより、本考案のハードディスクブラケットの固定構造が電力接地（ｃｌａｓｓｉｓ  ｇｒｏｕｎｄ）と信号接地（ｄｉｇｉｔａｌ  ｇｒｏｕｎｄ）の機能を同時に備えることができる。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１３】
【図１】本考案の立体外観図である。
【図２】本考案の立体分解図である。
【図３】本考案の断面図である。
【図４】公知のハードディスクブラケットの組み立て前の図である。
【図５】公知のハードディスクブラケットの組み立て後の図である。
【符号の説明】
【００１４】
１  ハードディスクブラケット
１１  固定孔
２  ワッシャー
２１  通孔
３  ブッシュ
３１  凸部
３２  通孔
４  六角ナット
４１  通孔
５  ボルト
Ａ１  ハードディスクブラケット
Ａ１１  固定孔
Ａ２  ボルト
Ａ３  ブッシュ
Ａ３１  通孔
Ａ４  六角ナット
【図１】
0003120034.tif 000003
【図２】
0003120034.tif 000004
【図３】
0003120034.tif 000005
【図４】
0003120034.tif 000006
【図５】
0003120034.tif 000007